(57)【要約】【課題】  無線伝送するＡＴＭセルのヘッダ内に存在する余剰な情報を削減して伝送効率を向上させる。【解決手段】  送信側において、無線伝送路形態に対応するヘッダ圧縮条件に基づく圧縮ヘッダ構成を生成し、ＡＴＭヘッダを圧縮ヘッダ構成に基づき圧縮し、ヘッダ種別を付加した圧縮ヘッダを生成する。この圧縮ヘッダをＡＴＭペイロードに付加した圧縮ＡＴＭセルを生成して無線伝送路に出力する。受信側において、無線伝送路から受信した圧縮ＡＴＭセルの圧縮ヘッダに付加されたヘッダ種別に対応する復元ヘッダ構成を取得し、圧縮ヘッダの復元に用いるヘッダ解析情報を生成する。ヘッダ解析情報に基づいて圧縮ヘッダを再構築して５バイト構成のＡＴＭヘッダに復元する。復元したＡＴＭヘッダをＡＴＭペイロードに付加してＡＴＭセルを生成して出力する。【選択図】      図１
2015186205.tif 000002
【特許請求の範囲】
【請求項１】
送信側に、
５バイト構成のＡＴＭヘッダを有する５３バイト構成のＡＴＭセルの、無線伝送路形態に対応する、該ＡＴＭヘッダを構成する各フィールドの削除またはビット数削減を含む圧縮条件を示すヘッダ圧縮条件に基づき、生成すべき圧縮ヘッダの各フィールドの圧縮処理内容、構成バイト数およびヘッダ種別を示す圧縮ヘッダ構成を生成する圧縮ヘッダ構成情報生成手段と、
入力した送信ＡＴＭセルを前記ＡＴＭヘッダとＡＴＭペイロードに分離し、分離した前記ＡＴＭヘッダと前記圧縮ヘッダ構成に基づき、前記ヘッダ種別を付加した前記構成バイト数の前記圧縮ヘッダを生成し、分離した前記ＡＴＭペイロードと前記圧縮ヘッダに基づき、圧縮ＡＴＭセルを生成して無線伝送路に出力する圧縮ＡＴＭセル生成手段と
を備え、
受信側に、
前記無線伝送路から受信した前記圧縮ＡＴＭセルの前記圧縮ヘッダに付加されたヘッダ種別に基づき同一のヘッダ種別を有する復元ヘッダ構成を取得し、該復元ヘッダ構成が示す前記圧縮ヘッダの構成内容と前記構成バイト数に基づき、前記圧縮ヘッダの復元に用いる前記各フィールドの復元処理内容を示すヘッダ解析情報を生成する圧縮ヘッダ解析手段と、
前記ヘッダ解析情報に基づき、受信した前記圧縮ＡＴＭセルを前記圧縮ヘッダと前記ＡＴＭペイロードに分離し、分離した前記圧縮ヘッダと前記ヘッダ解析情報に基づいて５バイト構成の前記ＡＴＭヘッダに復元し、分離した前記ＡＴＭペイロードと復元した前記ＡＴＭヘッダに基づき受信ＡＴＭセルを生成して出力する受信ＡＴＭセル生成手段と
を備え、
前記圧縮ヘッダ構成情報と前記復元ヘッダ構成情報とは、前記ヘッダ種別に対応して同一内容の情報を含むものであることを特徴とする無線ＡＴＭ通信装置。
【請求項２】
前記圧縮ヘッダ構成情報生成手段は、
前記ＡＴＭヘッダ圧縮条件を、それぞれに前記ヘッダ種別が付された、無線伝送路の通信形態に対応する複数の圧縮パターンがあらかじめ記録されている前記圧縮ヘッダ構成情報と照合して、前記圧縮ヘッダ構成を生成する圧縮ヘッダ構成情報生成部を含み、
前記圧縮ＡＴＭセル生成手段は、
入力した前記送信ＡＴＭセルを前記ＡＴＭヘッダと前記ＡＴＭペイロードに分離するペイロード／ヘッダ分離部と、
分離した前記ＡＴＭヘッダと前記圧縮ヘッダ構成に基づき、前記各フィールドの圧縮処理を施し、前記ヘッダ種別を付加した前記構成バイト数の前記圧縮ヘッダを生成する圧縮ヘッダ生成部と、
分離した前記ＡＴＭペイロードに前記圧縮ヘッダを付加して前記圧縮ＡＴＭセルを生成して無線伝送路に出力する送信ＡＴＭセル構築部を含み、
前記受信ＡＴＭセル生成手段は、
前記ヘッダ解析情報に基づき、受信した前記圧縮ＡＴＭセルを前記圧縮ヘッダと前記ＡＴＭペイロードに分離するペイロード／圧縮ヘッダ分離部と、
分離した前記圧縮ヘッダを、前記ヘッダ解析情報に基づいて再構築し、５バイト構成の前記ＡＴＭヘッダに復元するヘッダ再構築部と、
分離した前記ＡＴＭペイロードに、復元した前記ＡＴＭヘッダを付加して前記受信ＡＴＭセルを生成して出力する受信ＡＴＭセル再構築部を含む
ことを特徴とする請求項１に記載の無線ＡＴＭ通信装置。
【請求項３】
前記圧縮ヘッダ構成情報生成部は、前記ペイロード／ヘッダ分離部が分離した前記ＡＴＭヘッダを構成する各フィールドのビット情報を解析して削除可能領域を識別し、その識別結果に基づいて前記ヘッダ圧縮条件を生成することを特徴とする請求項２に記載の無線ＡＴＭ通信装置。
【請求項４】
削除またはビット数削減の対象とする前記ＡＴＭヘッダのフィールドは、ＧＦＣ（一般的フロー制御）フィールド、ＶＰＩ（仮想パス識別子）フィールド、ＶＣＩ（仮想チャネル識別子）フィールドおよびＨＥＣ（ヘッダ誤り制御）フィールドであって、前記圧縮ヘッダにおいては、前記ＧＦＣフィールドおよび前記ＨＥＣフィールドを削除し、復元した前記ＡＴＭヘッダにおいて、前記ＧＦＣフィールドにはすべて０を設定し、前記ＨＥＣフィールドには復元した１バイト目乃至４バイト目の設定データに対するＣＲＣ（Cyclic Redundancy Check）計算した値を設定することを特徴とする請求項１乃至３のいずれかの請求項に記載の無線ＡＴＭ通信装置。
【請求項５】
前記ＶＰＩフィールドは全てのフィールドを削除または上位４ビット分を削除する圧縮パターンが、前記ＶＣＩフィールドは全てのフィールドを削除する、上位４ビット分を削除する、８ビット分を削除する、または１２ビット分を削除する圧縮パターンが、無線伝送路形態に対応した圧縮パターンとして前記圧縮ヘッダ構成情報として記録されていることを特徴とする請求項４に記載の無線ＡＴＭ通信装置。
【請求項６】
５バイト構成のＡＴＭヘッダを有する５３バイト構成のＡＴＭセルの、無線伝送路形態に対応する、該ＡＴＭヘッダを構成する各フィールドの削除またはビット数削減を含む圧縮条件を示すヘッダ圧縮条件を、あらかじめ記録している圧縮ヘッダ構成情報と照合して、生成すべき圧縮ヘッダの各フィールドの圧縮処理内容、構成バイト数およびヘッダ種別を示す圧縮ヘッダ構成を生成する圧縮ヘッダ構成情報生成手段と、
入力した送信ＡＴＭセルを前記ＡＴＭヘッダとＡＴＭペイロードに分離し、分離した前記ＡＴＭヘッダと前記圧縮ヘッダ構成に基づき、前記各フィールドの圧縮処理を施し、前記ヘッダ種別を付加した前記構成バイト数の前記圧縮ヘッダを生成し、分離した前記ＡＴＭペイロードに前記圧縮ヘッダを付加した圧縮ＡＴＭセルを生成して無線伝送路に出力する圧縮ＡＴＭセル生成手段
を含む送信側無線ＡＴＭ通信装置と、
前記送信側無線ＡＴＭ通信装置と前記無線伝送路を介して接続され、前記無線伝送路から受信した前記圧縮ＡＴＭセルの前記圧縮ヘッダに付加されたヘッダ種別を、あらかじめ記録している復元ヘッダ構成情報と照合し、同一のヘッダ種別を有する復元ヘッダ構成を取得し、該復元ヘッダ構成が示す前記圧縮ヘッダの構成内容と前記構成バイト数に基づき、前記圧縮ヘッダの復元に用いる前記各フィールドの復元処理内容を示すヘッダ解析情報を生成する圧縮ヘッダ解析手段と、
前記ヘッダ解析情報に基づき、受信した前記圧縮ＡＴＭセルを前記圧縮ヘッダと前記ＡＴＭペイロードに分離し、分離した前記圧縮ヘッダを、前記ヘッダ解析情報に基づいて５バイト構成の前記ＡＴＭヘッダに復元し、分離した前記ＡＴＭペイロードに復元した前記ＡＴＭヘッダを付加して受信ＡＴＭセルを生成して出力する受信ＡＴＭセル生成手段
を含む受信側無線ＡＴＭ通信装置と
を備え、
前記送信側無線ＡＴＭ通信装置における前記圧縮ヘッダ構成情報と前記受信側無線ＡＴＭ通信装置における前記復元ヘッダ構成情報とは、前記ヘッダ種別に対応して同一内容の情報を含むものであることを特徴とする無線ＡＴＭ通信システム。
【請求項７】
前記送信側無線ＡＴＭ通信装置の前記圧縮ヘッダ構成情報生成手段は、前記ＡＴＭヘッダ圧縮条件を、それぞれに前記ヘッダ種別が付された、無線伝送路の通信形態に対応する複数の圧縮パターンがあらかじめ記録されている前記圧縮ヘッダ構成情報と照合して、前記圧縮ヘッダ構成を生成する圧縮ヘッダ構成情報生成部を含み、
前記送信側無線ＡＴＭ通信装置の前記圧縮ＡＴＭセル生成手段は、入力した前記送信ＡＴＭセルを前記ＡＴＭヘッダと前記ＡＴＭペイロードに分離するペイロード／ヘッダ分離部と、分離した前記ＡＴＭヘッダと前記圧縮ヘッダ構成に基づき、前記各フィールドの圧縮処理を施し、前記ヘッダ種別を付加した前記構成バイト数の前記圧縮ヘッダを生成する圧縮ヘッダ生成部と、分離した前記ＡＴＭペイロードに前記圧縮ヘッダを付加して前記圧縮ＡＴＭセルを生成して無線伝送路に出力する送信ＡＴＭセル構築部を含み、
前記送信側無線ＡＴＭ通信装置の前記受信ＡＴＭセル生成手段は、前記ヘッダ解析情報に基づき、受信した前記圧縮ＡＴＭセルを前記圧縮ヘッダと前記ＡＴＭペイロードに分離するペイロード／圧縮ヘッダ分離部と、分離した前記圧縮ヘッダを、前記ヘッダ解析情報に基づいて再構築し、５バイト構成の前記ＡＴＭヘッダに復元するヘッダ再構築部と、分離した前記ＡＴＭペイロードに、復元した前記ＡＴＭヘッダを付加して前記受信ＡＴＭセルを生成して出力する受信ＡＴＭセル再構築部を含む
ことを特徴とする請求項６に記載の無線ＡＴＭ通信システム。
【請求項８】
５バイト構成のＡＴＭヘッダを有する５３バイト構成のＡＴＭセルの、無線伝送路形態に対応する、該ＡＴＭヘッダを構成する各フィールドの削除またはビット数削減を含む圧縮条件を示すヘッダ圧縮条件に基づき、生成すべき圧縮ヘッダの各フィールドの圧縮処理内容、構成バイト数およびヘッダ種別を示す圧縮ヘッダ構成を生成する圧縮ヘッダ構成情報生成手段と、
入力した送信ＡＴＭセルを前記ＡＴＭヘッダとＡＴＭペイロードに分離し、分離した前記ＡＴＭヘッダと前記圧縮ヘッダ構成に基づき、前記ヘッダ種別を付加した前記構成バイト数の前記圧縮ヘッダを生成し、分離した前記ＡＴＭペイロードと前記圧縮ヘッダに基づき、圧縮ＡＴＭセルを生成して無線伝送路に出力する圧縮ＡＴＭセル生成手段とを備える無線ＡＴＭ送信装置。
【請求項９】
前記無線伝送路から受信した前記圧縮ＡＴＭセルの前記圧縮ヘッダに付加されたヘッダ種別に基づき、同一のヘッダ種別を有する復元ヘッダ構成を取得し、該復元ヘッダ構成が示す前記圧縮ヘッダの構成内容と前記構成バイト数に基づき、前記圧縮ヘッダの復元に用いる前記各フィールドの復元処理内容を示すヘッダ解析情報を生成する圧縮ヘッダ解析手段と、
前記ヘッダ解析情報に基づき、受信した前記圧縮ＡＴＭセルを前記圧縮ヘッダと前記ＡＴＭペイロードに分離し、分離した前記圧縮ヘッダと前記ヘッダ解析情報に基づいて５バイト構成の前記ＡＴＭヘッダに復元し、分離した前記ＡＴＭペイロードと前記ＡＴＭヘッダに基づき、受信ＡＴＭセルを生成して出力する受信ＡＴＭセル生成手段とを備える無線ＡＴＭ受信装置。
【請求項１０】
送信側において、
入力した５バイト構成のＡＴＭヘッダを有する５３バイト構成の送信ＡＴＭセルを前記ＡＴＭヘッダとＡＴＭペイロードに分離し、
無線伝送路形態に対応する、前記ＡＴＭヘッダを構成する各フィールドの削除またはビット数削減を含む圧縮条件を示すヘッダ圧縮条件に基づき、生成すべき圧縮ヘッダの各フィールドの圧縮処理内容、構成バイト数およびヘッダ種別を示す圧縮ヘッダ構成を生成し、
分離した前記ＡＴＭヘッダと前記圧縮ヘッダ構成に基づき、前記ヘッダ種別を付加した前記構成バイト数の前記圧縮ヘッダを生成し、
分離した前記ＡＴＭペイロードと前記圧縮ヘッダに基づき、圧縮ＡＴＭセルを生成して無線伝送路に出力し、
受信側において、
前記無線伝送路から受信した前記圧縮ＡＴＭセルの前記圧縮ヘッダに付加されたヘッダ種別に基づき、同一のヘッダ種別を有する復元ヘッダ構成を取得し、
該復元ヘッダ構成が示す前記圧縮ヘッダの構成内容と前記構成バイト数に基づき、前記圧縮ヘッダの復元に用いる前記各フィールドの復元処理内容を示すヘッダ解析情報を生成し、
前記ヘッダ解析情報に基づき、受信した前記圧縮ＡＴＭセルを前記圧縮ヘッダと前記ＡＴＭペイロードに分離し、
分離した前記圧縮ヘッダと前記ヘッダ解析情報に基づいて再構築して５バイト構成の前記ＡＴＭヘッダに復元し、
分離した前記ＡＴＭペイロードと前記ＡＴＭヘッダに基づき受信ＡＴＭセルを生成して出力し、
前記圧縮ヘッダ構成情報と前記復元ヘッダ構成情報とは、前記ヘッダ種別に対応して同一内容の情報を含むものであることを特徴とする無線ＡＴＭ通信方法。
【発明の詳細な説明】
【技術分野】
【０００１】
本発明は無線ＡＴＭ（Asynchronous Transfer Mode、非同期転送モード）通信装置、システムおよび無線ＡＴＭ通信方法に関し、特に、ＡＴＭセルのヘッダ情報を削減して伝送する無線ＡＴＭ通信装置、システムおよび無線ＡＴＭ通信方法に関する。
【背景技術】
【０００２】
ＡＴＭセルは、５バイトのＡＴＭヘッダと４８バイトのＡＴＭペイロードの５３バイトで構成されるセルである。そして、無線ＡＴＭ通信装置は、この５３バイトのＡＴＭセルを無線信号に変換し、無線伝送路を介して送受信する。
【０００３】
このような無線ＡＴＭ通信装置の例が特許文献１と特許文献２に開示されている。
【０００４】
特許文献１は、一つの基地局がカバーする範囲内に存在する複数の端末との間で同報通信を行うワイヤレス非同期通信モード通信システムを開示する。
【０００５】
このワイヤレス非同期通信モード通信システムは、同報通信の場合、無線ＡＴＭセルのオーバーヘッドに同報通信識別子を設定する。そして、各端末は、受信した無線ＡＴＭセルに含まれるヘッダ情報に基づいて、受信した無線ＡＴＭセルが同報通信対象の無線ＡＴＭセルか否かを判定する。同報通信対象の無線ＡＴＭセルでない場合には無線ＡＴＭセルに含まれるヘッダ情報と自局に登録されているコネクションとを比較する。一致するコネクションがある場合に当該無線ＡＴＭセルを受信し、不一致の場合に当該受信した無線ＡＴＭセルを廃棄する。
【０００６】
また、特許文献２は、無線リンクによって基地局と端末間でデータパケットを送信する無線ＡＴＭ通信システムを開示する。特に、無線リンクによって基地局と端末間におけるデータパケットの送信を制御するための媒体アクセス制御（ＭＡＣ、Media Access Control）手段を開示する。
【０００７】
このＭＡＣ手段は、チャンネルを複数バイトのスロットに細分化できるようなユニットにフレーム化する。そして、基地局から端末へのダウンリンク送信は単一バーストでＴＤＭ（Time Division Multiple）多重によって行う。端末から基地局へのアップリンク送信はスロット割り当ての際、ダイナミックＴＤＭＡ（Time Division Multiple Access）法を使って行う。
【０００８】
一方、無線ＡＴＭ通信装置ではないが、ユーザデータを伝送するために介在する上位層のプロトコルレイヤによるヘッダ情報を削減してデータの転送効率を上げるＡＴＭ通信装置が特許文献３に開示されている。
【０００９】
このＡＴＭ通信装置の送信側装置は、ＡＡＬ（ATM Adaptation Layer）５よりも上位側の各プロトコルレイヤにおけるヘッダ情報が省略条件登録テーブルに登録された省略条件に一致するかを確認する。そして、一致する場合には端末側から入力されるデータフレームのヘッダ情報中の所定の情報を削除する。また、削除した情報の種別を示す省略識別子を送信データフレームのＬＬＣ（Logical Link Control Encapsulation）ヘッダに埋め込んで受信側に伝える。受信側装置は、受信データフレームのＬＬＣヘッダに埋め込まれた省略識別子を読み取り、省略識別子に基づいてヘッダ情報を復元し、端末側プロトコルに従うデータフレームを生成する。
【先行技術文献】
【特許文献】
【００１０】
【特許文献１】特開２０００−１２４９１８号公報
【特許文献２】特開平０９−０１８４３５号公報
【特許文献３】特開２００６−１２１４３４号公報
【発明の概要】
【発明が解決しようとする課題】
【００１１】
無線ＡＴＭ通信装置は、５バイトのＡＴＭヘッダと４８バイトのＡＴＭペイロードの５３バイトで構成されるＡＴＭセルを変調し、無線周波数に変換し、必要な送信電力に増幅して、受信局に対し空間伝搬させて伝送する。そして、この無線伝送のために動作する器材の消費電力及び必要な周波数帯域等は、伝送されるＡＴＭセルのデータ量に比例する。
【００１２】
ＡＴＭセルで伝送されるユーザ情報は４８バイトのＡＴＭペイロードにより伝送される。したがって、データの伝送効率としては、およそ９０％（４８バイト÷５３バイト）となる。
【００１３】
ＡＴＭヘッダに着目すると、５バイトのＡＴＭヘッダはＧＦＣ、ＶＰＩ、ＶＣＩ、ＰＴ、ＣＬＰおよびＨＥＣの各フィールドで構成されている。
【００１４】
ＧＦＣはＧｅｎｅｒｉｃ  Ｆｌｏｗ  Ｃｏｎｔｒｏｌ（一般的フロー制御）の略称であり、４ビットで構成されＡＴＭセルの衝突を防止するためのものである。ＶＰＩはＶｉｒｔｕａｌ  Ｐａｔｈ  Ｉｄｅｎｔｉｆｉｅｒ（仮想パス識別子）の略称であり、８ビットで構成され通信経路を選択するためのものである。ＶＣＩは、Ｖｉｒｔｕａｌ  Ｃｈａｎｎｅｌ  Ｉｄｅｎｔｉｆｉｅｒ（仮想チャネル識別子）の略称であり、１６ビットで構成され通信経路の中のどのチャネルを使うかを選択するためのものである。ＰＴはＰａｙｌｏａｄ  Ｔｙｐｅ（ペイロード・タイプ）の略称で、３ビットで構成されペイロードの内容がユーザ情報か制御情報かを識別するためのものである。ＣＬＰはＣｅｌｌ  Ｌｏｓｓ  Ｐｒｉｏｒｉｔｙ（セル損失優先表示）の略称であり、１ビットで構成され優先度を決めるためのものである。ＨＥＣはＨｅａｄｅｒ  Ｅｒｒｏｒ  Ｃｏｎｔｒｏｌ（ヘッダ誤り制御）の略称で、８ビットで構成され誤りチェックのためのものである。
【００１５】
ＡＴＭセルを送信する際には、上記の各フィールドに必要なフィールド情報が設定されてＡＴＭヘッダを構築するが、必ずしもすべてのフィールドがＡＴＭセルごとに異なった値が設定されるものではない。また、フィールドによってはすべてのビットを使うことなく、規定されたフィールドよりも少ないビット、さらには装置間を無線伝送するだけの場合には不要な場合もあり得る。これは、無線通信の場合には、有線とは異なり、データ伝送する相手先への経路がきわめて限定されているケ−スが多いからである。
【００１６】
例えば、ＧＦＣにおいては、４ビットとも０に固定であることが多い。ＶＰＩにセットする仮想パスの情報が８ビットも必要ない場合や全く不要な場合が存在する。また、ＶＣＩにおいても、同一伝送路上のチャンネル数も、１６ビットも必要なく、１２ビット、８ビットまたは４ビットで足りる場合があるし、全く不要な場合もあり得る。
【００１７】
しかしながら、上記のような環境においても、意味の無い０を内挿して５バイトのＡＴＭヘッダを規定通りに構成して無線伝送することは、無駄な情報に対しても電力が消費され周波数帯域が使用されることを意味する。そして、無駄な情報に対する電力料金及び回線使用料金がかかり、コストの無駄が発生している。
【００１８】
例えば、ＧＦＣおよびＶＰＩが無駄な情報とみなせる場合、１個のＡＴＭセルを無線伝送する際に約３％の電力及び回線使用料等に無駄が発生していることになる。ＡＴＭセルを伝送するたびに３％のコストが発生することは、昨今の運用コスト削減、余裕の無くなってきている無線周波数帯域割り当て等の環境において、改善する必要性が大きい。
【００１９】
特許文献１および特許文献２が開示する無線ＡＴＭ通信装置は、無線伝送するＡＴＭセルの伝送効率を改善することには触れていない。
【００２０】
また、特許文献３は、ユーザデータを伝送するために介在する上位層のプロトコルレイヤによるヘッダ情報を削減してデータの転送効率を上げる技術に関するものである。しかし、特許文献３が開示する技術は、装置間を伝送するＡＴＭセルに着目した伝送効率を改善する技術ではなく、装置間を伝送するＡＴＭセルは、依然として５バイトのＡＴＭヘッダと４８バイトのＡＴＭペイロードの５３バイトで構成される。
【００２１】
本発明の目的は、無線伝送されるＡＴＭセルのヘッダ内に存在する余剰な情報を削減して伝送効率を向上させる無線ＡＴＭ通信装置、システムおよび無線ＡＴＭ通信方法を提供することにある。
【課題を解決するための手段】
【００２２】
上記の目的を実現するために、本発明の一形態である無線ＡＴＭ通信装置は、送信側に、５バイト構成のＡＴＭヘッダを有する５３バイト構成のＡＴＭセルの、無線伝送路形態に対応する、該ＡＴＭヘッダを構成する各フィールドの削除またはビット数削減を含む圧縮条件を示すヘッダ圧縮条件に基づき、生成すべき圧縮ヘッダの各フィールドの圧縮処理内容、構成バイト数およびヘッダ種別を示す圧縮ヘッダ構成を生成する圧縮ヘッダ構成情報生成手段と、入力した送信ＡＴＭセルを前記ＡＴＭヘッダとＡＴＭペイロードに分離し、分離した前記ＡＴＭヘッダと前記圧縮ヘッダ構成に基づき、前記ヘッダ種別を付加した前記構成バイト数の前記圧縮ヘッダを生成し、分離した前記ＡＴＭペイロードと前記圧縮ヘッダに基づき、圧縮ＡＴＭセルを生成して無線伝送路に出力する圧縮ＡＴＭセル生成手段と、を備え、受信側に、前記無線伝送路から受信した前記圧縮ＡＴＭセルの前記圧縮ヘッダに付加されたヘッダ種別に基づき同一のヘッダ種別を有する復元ヘッダ構成を取得し、該復元ヘッダ構成が示す前記圧縮ヘッダの構成内容と前記構成バイト数に基づき、前記圧縮ヘッダの復元に用いる前記各フィールドの復元処理内容を示すヘッダ解析情報を生成する圧縮ヘッダ解析手段と、前記ヘッダ解析情報に基づき、受信した前記圧縮ＡＴＭセルを前記圧縮ヘッダと前記ＡＴＭペイロードに分離し、分離した前記圧縮ヘッダと前記ヘッダ解析情報に基づいて５バイト構成の前記ＡＴＭヘッダに復元し、分離した前記ＡＴＭペイロードと復元した前記ＡＴＭヘッダに基づき受信ＡＴＭセルを生成して出力する受信ＡＴＭセル生成手段と、を備え、前記圧縮ヘッダ構成情報と前記復元ヘッダ構成情報とは、前記ヘッダ種別に対応して同一内容の情報を含むものであることを特徴とする。
【００２３】
本発明の別の形態である無線ＡＴＭ通信システムは、５バイト構成のＡＴＭヘッダを有する５３バイト構成のＡＴＭセルの、無線伝送路形態に対応する、該ＡＴＭヘッダを構成する各フィールドの削除またはビット数削減を含む圧縮条件を示すヘッダ圧縮条件を、あらかじめ記録している圧縮ヘッダ構成情報と照合して、生成すべき圧縮ヘッダの各フィールドの圧縮処理内容、構成バイト数およびヘッダ種別を示す圧縮ヘッダ構成情報を生成する圧縮ヘッダ構成情報生成手段と、入力した送信ＡＴＭセルを前記ＡＴＭヘッダとＡＴＭペイロードに分離し、分離した前記ＡＴＭヘッダに対し、前記圧縮ヘッダ構成に基づき、前記各フィールドの圧縮処理を施し、前記ヘッダ種別を付加した前記構成バイト数の前記圧縮ヘッダを生成し、分離した前記ＡＴＭペイロードに前記圧縮ヘッダを付加した圧縮ＡＴＭセルを生成して無線伝送路に出力する圧縮ＡＴＭセル生成手段を含む送信側無線ＡＴＭ通信装置と、前記送信側無線ＡＴＭ通信装置と前記無線伝送路を介して接続され、前記無線伝送路から受信した前記圧縮ＡＴＭセルの前記圧縮ヘッダに付加されたヘッダ種別を、あらかじめ記録している復元ヘッダ構成情報と照合し、同一のヘッダ種別を有する復元ヘッダ構成を取得し、該復元ヘッダ構成が示す前記圧縮ヘッダの構成内容と前記構成バイト数に基づき、前記圧縮ヘッダの復元に用いる前記各フィールドの復元処理内容を示すヘッダ解析情報を生成する圧縮ヘッダ解析手段と、前記ヘッダ解析情報に基づき、受信した前記圧縮ＡＴＭセルを前記圧縮ヘッダと前記ＡＴＭペイロードに分離し、分離した前記圧縮ヘッダを、前記ヘッダ解析情報に基づいて５バイト構成の前記ＡＴＭヘッダに復元し、分離した前記ＡＴＭペイロードに復元した前記ＡＴＭヘッダを付加して受信ＡＴＭセルを生成して出力する受信ＡＴＭセル生成手段を含む受信側無線ＡＴＭ通信装置と、を備え、前記送信側無線ＡＴＭ通信装置における前記圧縮ヘッダ構成情報と前記受信側無線ＡＴＭ通信装置における前記復元ヘッダ構成情報とは、前記ヘッダ種別に対応して同一内容の情報を含むものであることを特徴とする。
【００２４】
また、本発明の他の形態である無線ＡＴＭ通信方法は、送信側において、入力した５バイト構成のＡＴＭヘッダを有する５３バイト構成の送信ＡＴＭセルを前記ＡＴＭヘッダとＡＴＭペイロードに分離し、無線伝送路形態に対応する、前記ＡＴＭヘッダを構成する各フィールドの削除またはビット数削減を含む圧縮条件を示すヘッダ圧縮条件に基づき、生成すべき圧縮ヘッダの各フィールドの圧縮処理内容、構成バイト数およびヘッダ種別を示す圧縮ヘッダ構成を生成し、分離した前記ＡＴＭヘッダと前記圧縮ヘッダ構成に基づき、前記ヘッダ種別を付加した前記構成バイト数の前記圧縮ヘッダを生成し、分離した前記ＡＴＭペイロードと前記圧縮ヘッダに基づき、圧縮ＡＴＭセルを生成して無線伝送路に出力し、受信側において、前記無線伝送路から受信した前記圧縮ＡＴＭセルの前記圧縮ヘッダに付加されたヘッダ種別に基づき、同一のヘッダ種別を有する復元ヘッダ構成を取得し、該復元ヘッダ構成が示す前記圧縮ヘッダの構成内容と前記構成バイト数に基づき、前記圧縮ヘッダの復元に用いる前記各フィールドの復元処理内容を示すヘッダ解析情報を生成し、前記ヘッダ解析情報に基づき、受信した前記圧縮ＡＴＭセルを前記圧縮ヘッダと前記ＡＴＭペイロードに分離し、分離した前記圧縮ヘッダと前記ヘッダ解析情報に基づいて再構築して５バイト構成の前記ＡＴＭヘッダに復元し、分離した前記ＡＴＭペイロードと前記ＡＴＭヘッダに基づき受信ＡＴＭセルを生成して出力し、前記圧縮ヘッダ構成情報と前記復元ヘッダ構成情報とは、前記ヘッダ種別に対応して同一内容の情報を含むものであることを特徴とする。
【発明の効果】
【００２５】
本発明は、無線伝送されるＡＴＭセルのヘッダ内に存在する余剰な情報を削減し、伝送効率を向上させることができる。
【図面の簡単な説明】
【００２６】
【図１】本発明の第１の実施形態の無線ＡＴＭ通信装置の構成を示すブロック図である。
【図２】本発明の第１の実施形態の無線ＡＴＭ通信システムの構成を示すブロック図である。
【図３】本発明の第１の実施形態の無線ＡＴＭ通信装置の動作を示すフロー図である。
【図４】本発明の第２の実施形態の無線ＡＴＭ通信装置の構成を示すブロック図である。
【図５】５３バイトで構成されるＡＴＭセルを示す図である。
【図６】５バイトで構成されるＡＴＭヘッダを示す図である。
【図７】ＡＴＭヘッダ圧縮条件の例を示す図である。
【図８】記録されている圧縮ヘッダ構成情報の例とその記述例を示す図である。
【図９】ＡＴＭヘッダ圧縮条件に合致した圧縮ヘッダ構成情報の例を示す図である。
【図１０】圧縮ヘッダ構成の構成内容を示す図である。
【図１１】圧縮ヘッダ構成の具体例を示す図である。
【図１２】生成されたＡＴＭ圧縮ヘッダの例を示す図である。
【図１３】圧縮ＡＴＭセルの例を示す図である。
【図１４】ヘッダ解析情報の構成を示す図である。
【図１５】ヘッダ解析情報の具体例を示す図である。
【図１６】圧縮ＡＴＭセルを分離した状態を示す図である。
【図１７】復元したＡＴＭヘッダの例を示す図である。
【図１８】本発明の第２の実施形態の無線ＡＴＭ通信装置の圧縮ＡＴＭセル送信時の動作を示すフロー図である。
【図１９】本発明の第２の実施形態の無線ＡＴＭ通信装置の圧縮ＡＴＭセル受信時の動作を示すフロー図である。
【図２０】本発明の第２の実施形態の無線ＡＴＭ通信システムの構成を示すブロック図である。
【図２１】本発明の第３の実施形態の無線ＡＴＭ通信装置の構成を示すブロック図である。
【図２２】本発明の第３の実施形態の無線ＡＴＭ通信装置の圧縮ＡＴＭセル送信時の動作を示すフロー図である。
【発明を実施するための形態】
【００２７】
本発明を実施するための形態について図面を参照して説明する。
【００２８】
図１は、本発明の第１の実施形態の無線ＡＴＭ通信装置の構成を示すブロック図である。
【００２９】
なお、実施の形態は例示であり、開示の装置及びシステムは、以下の実施の形態の構成には限定されない。
【００３０】
第１の実施形態の無線ＡＴＭ通信装置１は、送信側の構成として、圧縮ヘッダ構成情報生成手段１１および圧縮ＡＴＭセル生成手段１２を含んで構成される。
【００３１】
圧縮ヘッダ構成情報生成手段１１は、ヘッダ圧縮条件に基づき、生成すべき圧縮ヘッダの各フィールドの圧縮処理内容、構成バイト数およびヘッダ種別を示す圧縮ヘッダ構成を生成する。ヘッダ圧縮条件は、５バイト構成のＡＴＭヘッダを有する５３バイト構成のＡＴＭセルの、無線伝送路形態に対応する、該ＡＴＭヘッダを構成する各フィールドの削除またはビット数削減を含む圧縮条件を示すものである。
【００３２】
圧縮ＡＴＭセル生成手段１２は、入力した送信ＡＴＭセルをＡＴＭヘッダとＡＴＭペイロードに分離する。そして、分離したＡＴＭヘッダと圧縮ヘッダ構成に基づき、ヘッダ種別を付加した前記の構成バイト数の圧縮ヘッダを生成する。そして、圧縮ＡＴＭセル生成手段１２は、分離したＡＴＭペイロードと圧縮ヘッダに基づき、圧縮ＡＴＭセルを生成して無線伝送路に出力する。
【００３３】
また、受信側の構成として、無線ＡＴＭ通信装置１は、圧縮ヘッダ解析手段２１および受信ＡＴＭセル生成手段２２を含んで構成される。
【００３４】
圧縮ヘッダ解析手段２１は、無線伝送路から受信した圧縮ＡＴＭセルの圧縮ヘッダに付加されたヘッダ種別に基づき、同一のヘッダ種別を有する復元ヘッダ構成を取得する。そして、該復元ヘッダ構成が示す圧縮ヘッダの構成内容と構成バイト数に基づき、圧縮ヘッダの復元に用いる各フィールドの復元処理内容を示すヘッダ解析情報を生成する。
【００３５】
受信ＡＴＭセル生成手段２２は、ヘッダ解析情報に基づき、受信した圧縮ＡＴＭセルを圧縮ヘッダとＡＴＭペイロードに分離する。そして、分離した圧縮ヘッダとヘッダ解析情報に基づいて５バイト構成のＡＴＭヘッダに復元し、分離したＡＴＭペイロードと復元したＡＴＭヘッダに基づき受信ＡＴＭセルを生成して出力する。
【００３６】
そして、圧縮ヘッダ構成情報と復元ヘッダ構成情報とは、ヘッダ種別に対応して同一内容の情報を含むものである。
【００３７】
上記の無線ＡＴＭ通信装置を、無線伝送路を介して送信側装置と受信側装置として設置することにより無線ＡＴＭ通信システムが構築される。
【００３８】
図２は、本発明の第１の実施形態の無線ＡＴＭ通信システムの構成を示すブロック図である。
【００３９】
第１の実施形態の無線ＡＴＭ通信システム１０は、無線伝送路を介して送信側無線ＡＴＭ通信装置１００と受信側無線ＡＴＭ通信装置２００が接続される構成になっている。
【００４０】
送信側無線ＡＴＭ通信装置１００は、圧縮ヘッダ構成情報生成手段１１０と圧縮ＡＴＭセル生成手段１２０を含む。
【００４１】
圧縮ヘッダ構成情報生成手段１１０は、ヘッダ圧縮条件を、あらかじめ記録している圧縮ヘッダ構成情報と照合して、生成すべき圧縮ヘッダの各フィールドの圧縮処理内容、構成バイト数およびヘッダ種別を示す圧縮ヘッダ構成を生成する。ヘッダ圧縮条件は、５バイト構成のＡＴＭヘッダを有する５３バイト構成のＡＴＭセルの、無線伝送路形態に対応する、該ＡＴＭヘッダを構成する各フィールドの削除またはビット数削減を含む圧縮条件を示すものである。
【００４２】
圧縮ＡＴＭセル生成手段１２０は、ＡＴＭヘッダを圧縮ヘッダ構成に基づいて圧縮した圧縮ＡＴＭセルを生成して無線伝送路に出力する。つまり、圧縮ＡＴＭセル生成手段１２０は、入力した送信ＡＴＭセルをＡＴＭヘッダとＡＴＭペイロードに分離する。そして、分離したＡＴＭヘッダに対し、圧縮ヘッダ構成に基づき、各フィールドの圧縮処理を施し、ヘッダ種別を付加した前記の構成バイト数の圧縮ヘッダを生成する。分離したＡＴＭペイロードに圧縮ヘッダを付加して圧縮ＡＴＭセルを生成する。
【００４３】
また、受信側無線ＡＴＭ通信装置２００は、圧縮ヘッダ解析手段２１０と受信ＡＴＭセル生成手段２２０を含む。
【００４４】
圧縮ヘッダ解析手段２１０は、圧縮ＡＴＭセルの圧縮ヘッダに付加された情報に基づいて復元ヘッダ構成情報を取得し、圧縮ヘッダを復元するための処理内容を示すヘッダ解析情報を生成する。
【００４５】
圧縮ヘッダ解析手段２１０は、無線伝送路から受信した圧縮ＡＴＭセルの圧縮ヘッダに付加されたヘッダ種別を、あらかじめ記録している復元ヘッダ構成情報と照合し、同一のヘッダ種別を有する復元ヘッダ構成を取得する。そして、この復元ヘッダ構成が示す圧縮ヘッダの構成内容と構成バイト数に基づき、圧縮ヘッダの復元に用いる各フィールドの復元処理内容を示すヘッダ解析情報を生成する。
【００４６】
受信ＡＴＭセル生成手段２２０は、このヘッダ解析情報に基づいて復元したＡＴＭヘッダを有する受信ＡＴＭセルを生成して出力する。
【００４７】
受信ＡＴＭセル生成手段２２０は、ヘッダ解析情報に基づき、受信した圧縮ＡＴＭセルを圧縮ヘッダとＡＴＭペイロードに分離する。そして、分離した圧縮ヘッダを、ヘッダ解析情報に基づいて５バイト構成のＡＴＭヘッダに復元し、分離したＡＴＭペイロードにこの復元したＡＴＭヘッダを付加して受信ＡＴＭセルを生成する。
【００４８】
また、送信側無線ＡＴＭ通信装置１００における圧縮ヘッダ構成情報と受信側無線ＡＴＭ通信装置２００における復元ヘッダ構成情報とは、ヘッダ種別に対応して同一内容の情報を含むものである。
【００４９】
次に、上記のように構成された第１の実施形態の無線ＡＴＭ通信装置１の動作を説明する。
【００５０】
図３は、本発明の第１の実施形態の無線ＡＴＭ通信装置の動作を示すフロー図である。図３（１）は送信側の動作を示し、図３（２）は受信側の動作を示す。なお、図中の説明は要旨を示すことを目的とし、簡略化して記載されている。
【００５１】
なお、実施形態１では、無線ＡＴＭ通信装置１が動作することによって、無線ＡＴＭ通信方法が実施される。よって、実施形態１における無線ＡＴＭ通信方法の説明は、以下の無線ＡＴＭ通信装置１の動作説明に代わる。
【００５２】
無線ＡＴＭ通信装置１の送信側は次のように動作する。
【００５３】
まず、入力した５バイト構成のＡＴＭヘッダを有する５３バイト構成の送信ＡＴＭセルをＡＴＭヘッダとＡＴＭペイロードに分離する（Ｓ１０１）。
【００５４】
ヘッダ圧縮条件に基づき、生成すべき圧縮ヘッダの各フィールドの圧縮処理内容、構成バイト数およびヘッダ種別を示す圧縮ヘッダ構成を生成する（Ｓ１０２）。ヘッダ圧縮条件は、無線伝送路形態に対応する、５バイト構成のＡＴＭヘッダを構成する各フィールドの削除またはビット数削減を含む圧縮条件を示すものである。
【００５５】
分離したＡＴＭヘッダと圧縮ヘッダ構成に基づき、ヘッダ種別を付加した前記の構成バイト数の圧縮ヘッダを生成する（Ｓ１０３）。
【００５６】
そして、分離したＡＴＭペイロードと圧縮ヘッダに基づき、圧縮ＡＴＭセルを生成して無線伝送路に出力する（Ｓ１０４）。
【００５７】
また、無線ＡＴＭ通信装置１の受信側は次のように動作する。
【００５８】
まず、無線伝送路から受信した圧縮ＡＴＭセルの圧縮ヘッダに付加されたヘッダ種別に基づき、同一のヘッダ種別を有する復元ヘッダ構成を取得する（Ｓ２０１）。なお、復元ヘッダ構成情報は、ヘッダ種別に対応して、送信側における圧縮ヘッダ構成情報と同一内容の情報を含むものである。
【００５９】
該復元ヘッダ構成が示す圧縮ヘッダの構成内容と構成バイト数に基づき、圧縮ヘッダの復元に用いる各フィールドの復元処理内容を示すヘッダ解析情報を生成する（Ｓ２０２）。
【００６０】
ヘッダ解析情報に基づき、受信した圧縮ＡＴＭセルを圧縮ヘッダとＡＴＭペイロードに分離する（Ｓ２０３）。
【００６１】
分離した圧縮ヘッダとヘッダ解析情報に基づいて再構築して５バイト構成のＡＴＭヘッダに復元する（Ｓ２０４）。
【００６２】
そして、分離したＡＴＭペイロードと復元したＡＴＭヘッダに基づき受信ＡＴＭセルを生成して出力する（Ｓ２０５）。
【００６３】
以上のように、本実施形態は、無線伝送路の形態に基づいて決まるヘッダ圧縮条件を用いて、５バイトのＡＴＭヘッダから余剰な情報を削除してＡＴＭヘッダのデータ量を削除している。そのため、同一のユーザデータを伝送する場合であっても、５３バイトよりも少ないバイト数のＡＴＭセルを無線信号に変換して伝送するので伝送効率を向上させることができる。
【００６４】
次に第２の実施形態を説明する。
【００６５】
図４は、本発明の第２の実施形態の無線ＡＴＭ通信装置２の構成を示すブロック図である。
【００６６】
第２の実施形態の無線ＡＴＭ通信装置２は、送信側の構成として、ＡＴＭヘッダ圧縮条件設定部３０、圧縮ヘッダ構成情報生成部３１、ペイロード／ヘッダ分離部３２、圧縮ヘッダ生成部３３および送信ＡＴＭセル構築部３４を含んで構成される。
【００６７】
ＡＴＭヘッダ圧縮条件設定部３０と圧縮ヘッダ構成情報生成部３１は、第１の実施形態における圧縮ヘッダ構成情報生成手段１１に対応する。そして、ペイロード／ヘッダ分離部３２、圧縮ヘッダ生成部３３および送信ＡＴＭセル構築部３４は、第１の実施形態における圧縮ＡＴＭセル生成手段１２に対応する。
【００６８】
ＡＴＭヘッダ圧縮条件設定部３０は、無線伝送路形態に対応して、ＡＴＭヘッダを構成する各フィールドの削除またはビット数削減を含む圧縮条件を示すＡＴＭヘッダ圧縮条件を出力する。
【００６９】
圧縮ヘッダ構成情報生成手段３１は、ＡＴＭヘッダ圧縮条件に基づき、あらかじめ記録している圧縮ヘッダ構成情報から、生成すべき圧縮ヘッダの各フィールドの圧縮処理内容、構成バイト数およびヘッダ種別を示す圧縮ヘッダ構成を生成する。
【００７０】
ペイロード／ヘッダ分離部３２は、入力した送信ＡＴＭセルをＡＴＭヘッダとＡＴＭペイロードに分離する。
【００７１】
圧縮ヘッダ生成部３３は、分離したＡＴＭヘッダに対し、圧縮ヘッダ構成に基づき、各フィールドの圧縮処理を施し、ヘッダ種別を付加した圧縮ヘッダを生成する。圧縮ヘッダは圧縮ヘッダ構成が示すバイト数のヘッダとなる。
【００７２】
送信ＡＴＭセル構築部３４は、分離したＡＴＭペイロードに圧縮ヘッダを付加した圧縮ＡＴＭセルを生成して無線伝送路に出力する。
【００７３】
また、受信側の構成として、無線ＡＴＭ通信装置２は、圧縮ヘッダ解析部４１、ペイロード／圧縮ヘッダ分離部４２、ヘッダ再構築部４３および受信ＡＴＭセル再構築部４４を含んで構成される。
【００７４】
圧縮ヘッダ解析部４１は、第１の実施形態における圧縮ヘッダ解析手段２１に対応する。そして、ペイロード／圧縮ヘッダ分離部４２、ヘッダ再構築部４３および受信ＡＴＭセル再構築部４４は、第１の実施形態における受信ＡＴＭセル生成手段２２に対応する。
【００７５】
圧縮ヘッダ解析部４１は、第１の実施形態における圧縮ヘッダ解析手段２１と同じ機能を有する。つまり、圧縮ヘッダ解析部４１は、無線伝送路から受信した圧縮ＡＴＭセルの圧縮ヘッダに付加されたヘッダ種別を、あらかじめ記録している復元ヘッダ構成情報と照合し、同一のヘッダ種別を有する復元ヘッダ構成を取得する。そして、該復元ヘッダ構成と構成バイト数に基づき、圧縮ヘッダの復元に用いる各フィールドの復元処理内容を示すヘッダ解析情報を生成する。
【００７６】
ペイロード／圧縮ヘッダ分離部４２は、ヘッダ解析情報に基づき、受信した圧縮ＡＴＭセルを圧縮ヘッダとＡＴＭペイロードに分離する。
【００７７】
ヘッダ再構築部４３は、分離した圧縮ヘッダを、ヘッダ解析情報に基づいて再構築し、５バイト構成のＡＴＭヘッダに復元する。
【００７８】
受信ＡＴＭセル再構築部４４は、分離したＡＴＭペイロードに、復元したＡＴＭヘッダを付加して受信ＡＴＭセルを生成して出力する。
【００７９】
そして、あらかじめ記録している圧縮ヘッダ構成情報と復元ヘッダ構成情報とは、ヘッダ種別に対応して同一内容の情報を含むものである。
【００８０】
第２の実施形態の無線ＡＴＭ通信装置２の上記の各構成要素について、図面を参照して詳細に説明する。
【００８１】
まず、送信側の構成要素であるＡＴＭヘッダ圧縮条件設定部３０、圧縮ヘッダ構成情報生成部３１、ペイロード／ヘッダ分離部３２、圧縮ヘッダ生成部３３および送信ＡＴＭセル構築部３４について順次説明する。
【００８２】
図５は、送信ＡＴＭセルとして入力され、受信ＡＴＭセルとして出力される５３バイト（ｂｙｔｅ）構成のＡＴＭセルを示す図である。そして、図６は、このＡＴＭセルの５バイトで構成されるＡＴＭヘッダを示す図である。送信ＡＴＭセルは、図４には図示していない、例えば、端末装置が出力するＡＴＭセルであり、受信ＡＴＭセルは、その端末装置に入力するＡＴＭセルである。
【００８３】
この端末装置は、送信時には送信データを４８バイトごとに分割し、分割したデータをＡＴＭペイロードに格納し、それに５バイトのＡＴＭヘッダを付加した５３バイトのＡＴＭセルとして出力する。５３バイトのＡＴＭセルは、分割されたデータの数だけ出力される。また、受信時には、入力したＡＴＭセルのＡＴＭペイロードに格納されている４８バイトのデータを取り出し、複数のＡＴＭセルから取り出したそれらのデータを再構成して受信データとして受信する。
【００８４】
ＡＴＭヘッダ圧縮条件設定部３０には、当該無線ＡＴＭ通信装置が使用される無線通信環境における通信形態に応じた、ＡＴＭヘッダの圧縮条件が予め登録される。圧縮条件としては、圧縮後のヘッダのバイト数およびＡＴＭヘッダを構成する各フィールドの削除またはビット数削減の条件が規定されている。
【００８５】
例えば、図７にＡＴＭヘッダ圧縮条件の例を示す。この図７に示す圧縮条件は、以下のことを規定している。
【００８６】
圧縮後のヘッダのバイト数は２バイトである。ＧＦＣフィールド、ＶＰＩフィールドおよびＨＥＣフィールドは全ビットを削除する。ＶＣＩフィールドは１６ビットの内の上位８ビットを削除する。他のフィールド（ＰＴ、ＣＬＰ）はそのままとする。
【００８７】
つまり、ＶＰＩは使用せず、ＶＣＩも８ビットであれば十分な通信形態の無線通信環境で無線ＡＴＭ通信装置が使用される場合に、上記のようなＡＴＭヘッダの圧縮条件が予め登録される。
【００８８】
圧縮ヘッダ構成情報生成部３１は、ＡＴＭヘッダ圧縮条件設定部３０に登録されているＡＴＭヘッダ圧縮条件に基づき、生成すべき圧縮ヘッダの各フィールドの圧縮処理内容、構成バイト数およびヘッダ種別を示す圧縮ヘッダ構成を生成する。このとき、圧縮ヘッダ構成情報生成部３１は、ＡＴＭヘッダ圧縮条件とあらかじめ記録している圧縮ヘッダ構成情報とのつきあわせを行い、合致した圧縮ヘッダ構成情報に基づいて、圧縮ヘッダを生成する際に適用する圧縮ヘッダ構成を生成する。
【００８９】
ここで、圧縮ヘッダ構成情報は、ＡＴＭヘッダの複数の圧縮パターンが予め記録されている。つまり、想定される複数の通信形態に対応したそれぞれの圧縮パターンが圧縮ヘッダ構成情報として記録されている。通信形態に対応した圧縮パターンは、圧縮ヘッダ構成情報のＩＤ番号（識別子）またはヘッダ種別により特定される。
【００９０】
例えば、ＡＴＭヘッダのフィールドにおいて、ＧＦＣ、ＶＰＩ、ＶＣＩおよびＨＥＣを削除またはビット数削減の対象とする。そして、ＧＦＣおよびＨＥＣフィールドを削除し、ＶＰＩおよびＶＣＩを削除またはビット数を削減したパターンが圧縮パターンとして圧縮ヘッダ構成情報に記録されている。
【００９１】
ＶＰＩおよびＶＣＩの削除またはビット数削減のパターンとしては次のようなパターンが組み合わされる。
【００９２】
ＶＰＩに対しては全てのフィールドを削除するパターンと上位４ビット分を削除するパターンがある。
【００９３】
ＶＣＩに対しては全てのフィールドを削除するパターン、上位４ビット分を削除するパターン、上位８ビット分を削除するパターン、そして上位１２ビット分を削除するパターンがある。
【００９４】
圧縮ヘッダ構成情報生成部３１は、圧縮ヘッダの構成バイト数を決定し、更に、ヘッダ種別およびＡＴＭヘッダの各フィールドに対する削除またはビット数削減等の具体的な圧縮処理方法を示す情報をまとめて、圧縮ヘッダ構成を生成する。生成された圧縮ヘッダ構成は圧縮ヘッダ生成部３３に送られる。
【００９５】
図８は、記録されている圧縮ヘッダ構成情報の例とその記述例を示す図である。図８（ａ）は圧縮ヘッダ構成情報の例を示し、図８（ｂ）は圧縮ヘッダ構成情報の記述例を示す。
【００９６】
図８（ａ）に示すように、圧縮ヘッダ構成情報は、圧縮パターンごとに構成情報のＩＤ番号が付与され、圧縮したヘッダのバイト数情報、およびバイト番号とビット番号で特定される各フィールドの構成情報の内容が示されている。
【００９７】
図８（ｂ）の圧縮ヘッダ構成情報の記述例は以下のことを意味する。
【００９８】
構成情報のＩＤ番号は「０００１」で、２バイト構成の圧縮ヘッダを生成するための圧縮ヘッダ構成情報である。該２バイトは、次の構成情報を有する。
【００９９】
１バイト目の１乃至４ビットはＶＣＩの設定フィールド、５乃至８ビットはヘッダ種別の設定フィールドである。
【０１００】
２バイト目の１ビットはＣＬＰの設定フィールド、２乃至４ビットはＰＴの設定フィールド、そして５乃至８ビットはＶＣＩの設定フィールドである。
【０１０１】
圧縮ヘッダ構成情報生成部３１は、ＡＴＭヘッダ圧縮条件と圧縮ヘッダ構成情報とのつきあわせに際し、まず、ＡＴＭヘッダ圧縮条件が規定する圧縮後のヘッダのバイト数で検索して同じバイト数が設定されている圧縮ヘッダ構成情報をすべて抽出する。その後、ＡＴＭヘッダ圧縮条件が規定する各フィールドの内容と、圧縮ヘッダ構成情報に記述されているバイト番号、ビット番号ごとに設定内容のつきあわせを行い、両者が合致した圧縮ヘッダ構成情報を選択する。
【０１０２】
図９はＡＴＭヘッダ圧縮条件に合致した圧縮ヘッダ構成情報の例を示す図である。図９（ａ）は圧縮ヘッダ構成情報例を示し、図９（ｂ）はその構成イメージを示す。つまり、ヘッダバイト数が２バイトで、ＶＣＩが８ビット、ＣＬＰが１ビット、ＰＴが３ビットで構成される圧縮ヘッダ構成情報が選択され、その識別（ＩＤ）番号が「０００１」で特定される。
【０１０３】
なお、このＡＴＭ圧縮ヘッダ構成情報は、同じ内容のものが受信側のＡＴＭセル解析部４１にも後述する復元ヘッダ構成情報として記録されている。
【０１０４】
適用すべき圧縮ヘッダ構成情報を選択した圧縮ヘッダ構成情報生成部３１は、次に、生成すべき圧縮ヘッダの各フィールドの圧縮処理内容、構成バイト数およびヘッダ種別を示す圧縮ヘッダ構成を生成する。
【０１０５】
図１０は、圧縮ヘッダ構成の構成内容を示す図である。
【０１０６】
生成される圧縮ヘッダ構成には以下の２種類の情報が含まれる。
【０１０７】
１種類目の情報は、圧縮ヘッダ構成情報の識別番号、圧縮したヘッダのバイト数、圧縮ヘッダ内のバイト番号、ビット番号ごとに配置する情報の内容である。これらは、図８および図９に示した圧縮ヘッダ構成情報の内容である。
【０１０８】
上記の情報に加え、２種類目の情報として、５バイトのＡＴＭヘッダを構成する各フィールドに対する削除やビット数の削減等の処理内容が示される。
【０１０９】
つまり、後者の情報に基づいて５バイトのＡＴＭヘッダの各フィールドの圧縮処理を実行することにより、前者の情報内容の圧縮ヘッダが生成される。
【０１１０】
圧縮ヘッダ構成の具体例を図１１に示す。
【０１１１】
図１１の例に従えば、上記の２種類目の情報に基づく５バイトのＡＴＭヘッダに対する処理として以下のことを行うことが示されている。
【０１１２】
ＧＦＣ、ＶＰＩおよびＨＥＣの各フィールドは削除する。
【０１１３】
ＶＣＩは、下位８ビットを１種類目の情報で指定されるバイト番号、ビット番号の位置に設定し、上位８ビットは廃棄する。
【０１１４】
ＰＴとＣＬＰは、そのままのビット内容を１種類目の情報で指定されるバイト番号、ビット番号の位置に設定する。
【０１１５】
そして、上記の１種類目の情報に基づいて、次の内容の２バイトの圧縮ヘッダが生成される。
【０１１６】
１バイト目の１乃至４ビットにＶＣＩ、５乃至８ビットに適用する圧縮ヘッダ構成情報の識別番号が設定され、２バイト目の１ビットにＣＬＰ、２乃至４ビットにＰＴ、そして５乃至８ビットにＶＣＩが設定される。なお、圧縮ヘッダ構成においては、適用する圧縮ヘッダ構成情報のＩＤ番号をヘッダ種別と称する。
【０１１７】
この圧縮ヘッダ構成に基づいて生成された圧縮ヘッダは、図１２に示す構成になることがわかる。
【０１１８】
圧縮ヘッダ構成情報生成部３１は、上述したようにして生成した圧縮ヘッダ構成を圧縮ヘッダ生成部３３に出力する。
【０１１９】
一方、ペイロード／ヘッダ分離部３２は、図５に示す５３バイト構成の送信ＡＴＭセルを図示しない端末装置から入力すると、５バイトのＡＴＭヘッダと４８バイトのＡＴＭペイロードに分離する。分離されたＡＴＭヘッダは圧縮ヘッダ生成部３３に送られ、分離されたＡＴＭペイロードは送信ＡＴＭ構築部３４に送られる。
【０１２０】
圧縮ヘッダ構成情報生成部３１から圧縮ヘッダ構成を受け取った圧縮ヘッダ生成部３３は、ペイロード／ヘッダ分離部３２から分離されたＡＴＭヘッダを受け取ると、５バイトのＡＴＭヘッダを圧縮ヘッダ構成の内容に基づいた圧縮ヘッダに変換する。
【０１２１】
つまり、圧縮ヘッダ生成部３３は、図１１に例を示した圧縮ヘッダ構成の内容に従い、５バイトのＡＴＭヘッダの各フィールド（ＧＦＣ、ＶＰＩ、ＶＣＩ、ＰＴ、ＣＬＰ、ＨＥＣ）に対し、削除またはビット数削減を実施する。そして、データ量を圧縮したヘッダにはヘッダ種別が付加される。
【０１２２】
このようにして生成された圧縮ヘッダの例を図１２に示す。
【０１２３】
圧縮ヘッダ生成部３３は、生成した圧縮ヘッダを送信ＡＴＭセル構築部３４に出力する。
【０１２４】
送信ＡＴＭセル構築部３４は、圧縮ヘッダ生成部３３から受け取った圧縮ヘッダを、ペイロード／ヘッダ分離部３２から受け取った４８バイトのＡＴＭペイロードに付加して圧縮ＡＴＭセルを生成する。
【０１２５】
圧縮ＡＴＭセルは、図１３に例を示すように、２バイトの圧縮ヘッダと４８バイトのペイロードの、計５０バイトで構成されるＡＴＭセルとなる。
【０１２６】
送信ＡＴＭセル構築部３４は、この圧縮ＡＴＭセルを図示しない無線送信部に出力する。
【０１２７】
圧縮ＡＴＭセルは、無線送信部において変調され、無線周波数に変換され、必要な送信電力に増幅されて、無線伝送路を介して相手装置に伝送される。
【０１２８】
以上が本実施形態の無線ＡＴＭ通信装置２の送信側の各構成要素の詳細説明である。
【０１２９】
次に、受信側の構成要素である圧縮ヘッダ解析部４１、ペイロード／圧縮ヘッダ分離部４２、ヘッダ再構築部４３および受信ＡＴＭセル再構築部４４について順次説明する。
【０１３０】
送信側装置から無線伝送された圧縮ＡＴＭセルは、図示しない無線受信部で受信され、ベースバンド信号として復調されて圧縮ヘッダ解析部４１とペイロード／圧縮ヘッダ分離部４２に入力する。
【０１３１】
ペイロード／圧縮ヘッダ分離部４２は、圧縮ヘッダ解析部４１から後述するヘッダ解析情報を受け取るまでは処理を行わない。
【０１３２】
圧縮ヘッダ解析部４１は、図１３に例を示す圧縮ＡＴＭセルを受信すると、圧縮ヘッダを５バイトのＡＴＭヘッダに復元するために必要な復元ヘッダ構成を取得する。
【０１３３】
まず、圧縮ヘッダ解析部４１は、受信した圧縮ＡＴＭセルの圧縮ヘッダに付加されたヘッダ種別を取得する。ヘッダ種別は、圧縮ヘッダの１バイト目の５乃至８ビットに設定されることが規定されている。そのため、圧縮ヘッダ解析部４１は、圧縮ＡＴＭセルを受信すると、１バイト目の５乃至８ビットの内容を識別してヘッダ種別を取得することができる。
【０１３４】
そして、圧縮ヘッダ解析部４１は、取得したヘッダ種別と、あらかじめ記録している復元ヘッダ構成情報の構成情報のＩＤ番号と照合する。
【０１３５】
ヘッダ種別は前述した圧縮ヘッダ構成情報の構成情報のＩＤ番号と同じであり、また、復元ヘッダ構成情報の構成情報のＩＤ番号とも同じである。つまり、圧縮ヘッダ構成情報とこの復元ヘッダ構成情報とは、ヘッダ種別に対応して同一内容の情報を含むものである。
【０１３６】
圧縮ヘッダ解析部４１は、同一のヘッダ種別を有する復元ヘッダ構成情報を、復元に適用すべき復元ヘッダ構成として取得する。より正確には、圧縮ヘッダ解析部４１は、ヘッダ種別と同一のＩＤ番号を有する復元ヘッダ構成情報を、復元に適用すべき復元ヘッダ構成として取得する。
【０１３７】
例えば、図１３に示す圧縮ＡＴＭセルの例ではヘッダ種別が０００１であるため、圧縮ヘッダ解析部４１は、構成情報のＩＤ番号が０００１として記録されている復元ヘッダ構成情報を検索する。復元ヘッダ構成情報は図８または図９を参照して説明した圧縮ヘッダ構成情報と同じである。
【０１３８】
圧縮ヘッダ解析部４１は、特定した復元ヘッダ構成が示す圧縮ヘッダの構成内容と構成バイト数に基づき、圧縮ヘッダの復元に用いる各フィールドの復元処理内容を示すヘッダ解析情報を生成する。
【０１３９】
ヘッダ解析情報の構成は図１４に示すとおりで、図１５にヘッダ解析情報の具体例を示す。
【０１４０】
図１４に示すように、ヘッダ解析情報には、圧縮ヘッダの構成に関する情報と、それを５バイトのＡＴＭヘッダに復元するための情報が含まれる。なお、ヘッダ解析情報に付されたＩＤ番号は、復元に使用する復元ヘッダ構成に付されたＩＤ番号と同じであり、圧縮ヘッダに付されたヘッダ種別とも同じである。
【０１４１】
圧縮ヘッダの構成に関する情報として、構成バイト数、各バイトとビット位置の構成内容が示されている。また、５バイトのＡＴＭヘッダに復元するための情報として、５バイトのＡＴＭヘッダの各フィールドに設定する情報が示されている。
【０１４２】
例えば、図１５を参照すれば、ヘッダ解析情報には以下の情報が設定されていることがわかる。
【０１４３】
圧縮ヘッダの構成に関する情報として、圧縮ヘッダは２バイトで構成され、２バイトの各ビット情報は次のようになっていることを示す。
【０１４４】
１バイト目の１乃至４ビットにはＶＣＩが設定され、５乃至８ビットにはヘッダ種別が設定されている。
【０１４５】
２バイト目の１ビットにはＣＬＰが設定され、２乃至４ビットにはＰＴが設定され、そして５乃至８ビットにはＶＣＩが設定されている。
【０１４６】
上記の圧縮ヘッダを５バイトのＡＴＭヘッダに復元するための情報として、各フィールドには次のような内容が設定されることを示す。
【０１４７】
ＧＦＣフィールドとＶＰＩフィールドは全ビットに０が設定される。
【０１４８】
ＶＣＩフィールドは上位８ビットに０が設定され、下位８ビットには圧縮ヘッダの設定情報がそのまま設定される。圧縮ヘッダの設定情報とは、圧縮ヘッダにおける１バイト目の１乃至４ビットと２バイト目の５乃至８ビットに設定されている情報を意味する。
【０１４９】
ＰＴフィールドには、圧縮ヘッダの２バイト目の２乃至４ビットの情報が設定され、ＣＬＰフィールドには圧縮ヘッダの２バイト目の１ビットの情報が設定される。
【０１５０】
ＨＥＣフィールドには、上記復元した１バイト目乃至４バイト目の設定データに対するＣＲＣ（Cyclic Redundancy Check）計算した値が設定される。
【０１５１】
圧縮ヘッダ解析部４１は、上述したヘッダ解析情報をペイロード／圧縮ヘッダ分離部４２とヘッダ再構築部４３にそれぞれ出力する。
【０１５２】
ペイロード／圧縮ヘッダ分離部４２は、圧縮ヘッダ解析部４１から受け取ったヘッダ解析情報に基づき、受信した圧縮ＡＴＭセルを圧縮ヘッダとＡＴＭペイロードに分離する。このとき、ペイロード／圧縮ヘッダ分離部４２は、ヘッダ解析情報に含まれる、圧縮ヘッダの構成バイト数に基づいて、受信した圧縮ＡＴＭセルから圧縮ヘッダの部分を識別する。
【０１５３】
ペイロード／圧縮ヘッダ分離部４２は、分離した圧縮ヘッダをヘッダ再構築部４３に出力し、分離したＡＴＭペイロードを受信ＡＴＭセル再構築部４４に出力する。
【０１５４】
図１６は、圧縮ＡＴＭセルを圧縮ヘッダとＡＴＭペイロードに分離した状態を示す図である。
【０１５５】
ヘッダ再構築部４３は、ペイロード／圧縮ヘッダ分離部４２から入力した圧縮ヘッダを、圧縮ヘッダ解析部４１から入力したヘッダ解析情報に基づいて再構築し、５バイト構成のＡＴＭヘッダに復元する。つまり、ヘッダ再構築部４３は、ヘッダ解析情報に基づいて５バイト構成のＡＴＭヘッダの各フィールドに情報を補完設定して、５バイト構成のＡＴＭヘッダを復元生成する。
【０１５６】
図１７は、復元したＡＴＭヘッダの例を示す図である。
【０１５７】
図１５に示したヘッダ解析情報の具体例を参照して、５バイト構成のＡＴＭヘッダは次のように復元される。
【０１５８】
１バイト目の５乃至８ビットのＧＦＣフィールドにはすべて０が設定される。
【０１５９】
１バイト目の１乃至４ビットおよび２バイト目の５乃至８ビットのＶＰＩフィールドにはすべて０が設定される。
【０１６０】
２バイト目の１乃至４ビットおよび３バイト目の５乃至８ビットのＶＣＩフィールドの上位８ビットにはすべて０が設定される。
【０１６１】
３バイト目の１乃至４ビットおよび４バイト目の５乃至８ビットのＶＣＩフィールドの下位８ビットには、受信した圧縮ヘッダに設定されている情報が設定される。
【０１６２】
４バイト目の２乃至４ビットのＰＴフィールドには受信した圧縮ヘッダに設定されている情報が設定される。
【０１６３】
４バイト目の１ビットのＣＬＰフィールドには受信した圧縮ヘッダに設定されている情報が設定される。
【０１６４】
５バイト目のＨＥＣフィールドには、復元した１バイト目乃至４バイト目の設定データに対するＣＲＣ（Cyclic Redundancy Check）計算した値が設定される。
【０１６５】
ヘッダ再構築部４３は、生成した５バイト構成のＡＴＭヘッダを受信ＡＴＭセル再構築部４４に出力する。
【０１６６】
受信ＡＴＭセル再構築部４４は、ペイロード／圧縮ヘッダ分離部４２が分離したＡＴＭペイロードに、ヘッダ再構築部４３が復元した５バイト構成のＡＴＭヘッダを付加して５３バイト構成の受信ＡＴＭセルを生成する。そして、受信ＡＴＭセル再構築部４４は、この受信ＡＴＭセルを図示しない端末装置に出力する。
【０１６７】
次に、以上のように構成された第２の実施形態の無線ＡＴＭ通信装置２の動作を説明する。
【０１６８】
図１８は、本発明の第２の実施形態の無線ＡＴＭ通信装置２の圧縮ＡＴＭセル送信時の動作を示すフロー図である。そして、図１９は、本発明の第２の実施形態の無線ＡＴＭ通信装置２の圧縮ＡＴＭセル受信時の動作を示すフロー図である。
【０１６９】
まず、図１８を参照して圧縮ＡＴＭセル送信時の動作を説明する。
【０１７０】
当該無線ＡＴＭ通信装置が使用される無線通信環境における通信形態（無線伝送路形態）に応じた、ＡＴＭヘッダの圧縮条件を示すＡＴＭヘッダ圧縮条件が予め登録される（Ｓ３０１）。ＡＴＭヘッダ圧縮条件には、図７に例を示すように、圧縮後のヘッダのバイト数およびＡＴＭヘッダを構成する各フィールドの削除またはビット数削減の条件が規定されている。
【０１７１】
入力した５３バイト構成の送信ＡＴＭセルを５バイトのＡＴＭヘッダと４８バイトのＡＴＭペイロードに分離する（Ｓ３０２）。
【０１７２】
ＡＴＭヘッダ圧縮条件とあらかじめ記録している圧縮ヘッダ構成情報とのつきあわせを行い、合致した圧縮ヘッダ構成情報に基づいて、圧縮ヘッダ構成を生成する（Ｓ３０３）。
【０１７３】
圧縮ヘッダ構成情報は、図８および図９に例を示すように、ＡＴＭヘッダの複数の圧縮パターンが予め記録されている。つまり、想定される複数の通信形態に対応したそれぞれの圧縮パターンがＩＤ番号を付されて圧縮ヘッダ構成情報として記録されている。そして、圧縮ヘッダ構成は、図１０および図１１に例を示すように、生成すべき圧縮ヘッダの各フィールドの圧縮処理内容、構成バイト数および圧縮パターンのＩＤ番号に対応するヘッダ種別を示す。
【０１７４】
このＡＴＭヘッダ圧縮条件と圧縮ヘッダ構成情報とのつきあわせに際しては、まず、ＡＴＭヘッダ圧縮条件が規定する圧縮後のヘッダのバイト数で検索して同じバイト数が設定されている圧縮ヘッダ構成情報をすべて抽出する。その後、ＡＴＭヘッダ圧縮条件が規定する各フィールドの内容と、圧縮ヘッダ構成情報に記述されているバイト番号、ビット番号ごとの設定内容のつきあわせを行い、両者が合致した圧縮ヘッダ構成情報を選択する。
【０１７５】
この５３バイト構成の送信ＡＴＭセルは、送信データが４８バイトごとに分割され、分割されたデータをＡＴＭペイロードとして５バイトのＡＴＭヘッダが付加された５３バイトの複数のＡＴＭセルの１つである。
【０１７６】
分離された５バイトのＡＴＭヘッダの各フィールドに対して圧縮ヘッダ構成の内容に基づいて削除またはビット数削減を実施し、通信形態に対応したヘッダの圧縮パターンを示すヘッダ種別を付加して圧縮ヘッダを生成する（Ｓ３０４）。
【０１７７】
分離されたＡＴＭペイロードに圧縮ヘッダを付加して、図１３に例を示すような、圧縮ＡＴＭセルを生成する（Ｓ３０５）。
【０１７８】
圧縮ＡＴＭセルを、無線伝送路を介して伝送する（Ｓ３０６）。圧縮ＡＴＭセルは無線搬送用に変調され、無線周波数に変換され、必要な送信電力に増幅されて、無線伝送路に出力される。
【０１７９】
次に、図１９を参照して圧縮ＡＴＭセル受信時の動作を説明する。
【０１８０】
無線伝送路を介して受信した圧縮ＡＴＭセルの圧縮ヘッダを解析して、圧縮ヘッダを５バイトのＡＴＭヘッダに復元するために必要な復元ヘッダ構成を取得する（Ｓ４０１）。
【０１８１】
圧縮ヘッダの解析に当たっては、受信した圧縮ＡＴＭセルの圧縮ヘッダに付加されたヘッダ種別を、あらかじめ記録している復元ヘッダ構成情報と照合する。なお、ヘッダ種別は所定の位置に設定されているので、容易に特定することができる。そして、ヘッダ種別と同一のＩＤ番号を有する復元ヘッダ構成情報を、復元に適用すべき復元ヘッダ構成として取得する。前述したように、復元ヘッダ構成情報は、ヘッダ種別に対応して、送信時の動作で説明した圧縮ヘッダ構成情報と同一内容の情報を含む。
【０１８２】
そして、該復元ヘッダ構成が示す圧縮ヘッダの構成内容と構成バイト数に基づき、圧縮ヘッダの復元に用いる各フィールドの復元処理内容を示すヘッダ解析情報を生成する（Ｓ４０２）。
【０１８３】
ヘッダ解析情報には、図１４および図１５に例を示すように、圧縮ヘッダの構成に関する情報と、それを５バイトのＡＴＭヘッダに復元するための情報が含まれる。
【０１８４】
ヘッダ解析情報に基づいて、受信した圧縮ＡＴＭセルを圧縮ヘッダとＡＴＭペイロードに分離する（Ｓ４０３）。
【０１８５】
このとき、ヘッダ解析情報に含まれる、圧縮ヘッダの構成バイト数に基づいて、受信した圧縮ＡＴＭセルから圧縮ヘッダの部分を識別する。
【０１８６】
分離された圧縮ヘッダを、ヘッダ解析情報に基づいて再構築し、５バイト構成のＡＴＭヘッダに復元する（Ｓ４０４）。
【０１８７】
生成した５バイト構成のＡＴＭヘッダを、分離したＡＴＭペイロードに付加して５３バイト構成の受信ＡＴＭセルを生成して出力する（Ｓ４０５）。
【０１８８】
各受信ＡＴＭセルから４８バイトのＡＴＭペイロードのデータが抽出され、それらが再構成されて受信データとなる。
【０１８９】
以上に説明したように、第２の実施形態の無線ＡＴＭ通信装置２は、無線通信形態に応じたＡＴＭヘッダの圧縮パターンが圧縮ヘッダ構成情報として記録されている。また、その圧縮パターンで圧縮された圧縮ヘッダを復元する復元パターンが復元ヘッダ構成情報として記録されている。
【０１９０】
以上のように、本実施形態の無線ＡＴＭ通信装置は、無線伝送路の形態に基づいて決まるヘッダ圧縮条件を用いて、あらかじめ記録されている圧縮ヘッダ構成情報を検索して圧縮ヘッダ構成を生成している。
【０１９１】
無線伝送路の形態が、例えば、通信経路が固定または限定され、ＶＰＩとして１バイト未満の情報で十分な場合や、ＶＰＩ自体が不要な場合があり得る。また、チャンネル数が限定されていて、ＶＣＩとして２バイト未満の情報で十分な場合や、全く不要な場合などがあり得る。そのような場合に、本実施形態では、ＶＰＩやＶＣＩの規定フィールドにあえて０を設定して５バイト構成のヘッダを生成することなく、圧縮ヘッダ構成が示す圧縮内容に基づいて余剰な情報を削除してＡＴＭヘッダのデータ量を削除している。
【０１９２】
そのため、同一のユーザデータを伝送する場合であっても、５３バイトよりも少ないバイト数のＡＴＭセルを無線信号に変換して伝送するので伝送効率を向上させることができる。
【０１９３】
例えば、４バイト構成の圧縮ヘッダを用いた場合にはデータの伝送効率は９２％になり、５バイト構成のＡＴＭヘッダを用いた場合の９０％よりも向上する。３バイト構成の圧縮ヘッダでは伝送効率が９４％、２バイト構成の圧縮ヘッダでは伝送効率が９６％、１バイト構成の圧縮ヘッダでは伝送効率が９８％と、それぞれ伝送効率が向上する。
【０１９４】
次に、第２の実施形態の無線ＡＴＭ通信システムを説明する。
【０１９５】
図２０は、本発明の第２の実施形態の無線ＡＴＭ通信システムの構成を示すブロック図である。
【０１９６】
第２の実施形態の無線ＡＴＭ通信システム２０は、無線送信装置３１０、無線伝送路および無線受信装置４１０を介して送信側無線ＡＴＭ通信装置３００と受信側無線ＡＴＭ通信装置４００が接続される構成になっている。そして、送信側端末装置３２０が送信側無線ＡＴＭ通信装置３００と接続され、受信側端末装置４２０が受信側無線ＡＴＭ通信装置４００と接続される。
【０１９７】
送信側無線ＡＴＭ通信装置３００と受信側無線ＡＴＭ通信装置４００としては、上述した第２の実施形態の無線ＡＴＭ通信装置２が設置される。
【０１９８】
そして、送信側無線ＡＴＭ通信装置３００では、送信側の構成要素であるＡＴＭヘッダ圧縮条件設定部３０、圧縮ヘッダ構成情報生成部３１、ペイロード／ヘッダ分離部３２、圧縮ヘッダ生成部３３および送信ＡＴＭセル構築部３４が機能する。
【０１９９】
また、受信側無線ＡＴＭ通信装置４００では、受信側の構成要素である圧縮ヘッダ解析部４１、ペイロード／圧縮ヘッダ分離部４２、ヘッダ再構築部４３および受信ＡＴＭセル再構築部４４が機能する。
【０２００】
上記の送信側の各構成要素および受信側の各構成要素は、第２の実施形態の無線ＡＴＭ通信装置２で説明したとおりなので、ここでの説明は省略する。
【０２０１】
送信側端末装置３２０は、送信すべきデータを４８バイトごとに分割してペイロードに格納し、それに５バイトのＡＴＭヘッダを付加した５３バイト構成の送信ＡＴＭセルを出力する。
【０２０２】
送信側無線ＡＴＭ通信装置３００は、ＡＴＭヘッダ圧縮条件設定部３０、圧縮ヘッダ構成情報生成部３１、ペイロード／ヘッダ分離部３２、圧縮ヘッダ生成部３３および送信ＡＴＭセル構築部３４が機能して、圧縮ＡＴＭセルを出力する。つまり、送信側端末装置３２０から入力した５３バイト構成の送信ＡＴＭセルのヘッダを圧縮して生成した圧縮ヘッダをペイロードに付加した圧縮ＡＴＭセルが出力される。そして、圧縮ヘッダには前述したヘッダ種別が付加されている。
【０２０３】
無線送信装置３１０は、このような圧縮ＡＴＭセルにもとづくベースバンド信号を変調し、無線周波数に変換し、必要な送信電力に増幅して無線伝送する。
【０２０４】
無線受信装置４１０は、無線伝送された圧縮ＡＴＭセルを受信し、ベースバンド信号として復調して受信側無線ＡＴＭ通信装置４００に出力する。
【０２０５】
受信側無線ＡＴＭ通信装置４００は、圧縮ヘッダ解析部４１、ペイロード／圧縮ヘッダ分離部４２、ヘッダ再構築部４３および受信ＡＴＭセル再構築部４４が機能して、５３バイトに復元した受信ＡＴＭセルを受信側端末装置４２０に出力する。つまり、無線伝送された圧縮ＡＴＭセルに付加されているヘッダ種別に基づいて復元情報を取得し、復元情報にしたがって再構築した５バイトのヘッダをペイロードに付加した受信ＡＴＭセルが生成される。
【０２０６】
このように、第２の実施形態の無線ＡＴＭ通信システム２０においても、ヘッダ内に存在する余剰な情報を削減した圧縮ＡＴＭセルを無線伝送するので、伝送効率を向上させることができる。
【０２０７】
次に、第３の実施形態を説明する。
【０２０８】
図２１は、本発明の第３の実施形態の無線ＡＴＭ通信装置の構成を示すブロック図である。
【０２０９】
第３の実施形態の無線ＡＴＭ通信装置３は、圧縮ヘッダ構成情報生成部５１とペイロード／ヘッダ分離部５２の構成が、第２の実施形態の無線ＡＴＭ通信装置２の圧縮ヘッダ構成情報生成部３１とペイロード／ヘッダ分離部３２と異なる。そして、第２の実施形態の無線ＡＴＭ通信装置２におけるＡＴＭ圧縮条件設定部３０を含まない構成になっている。
【０２１０】
つまり、第３の実施形態の無線ＡＴＭ通信装置３では、圧縮ヘッダ構成情報生成部５１が、入力した送信ＡＴＭセルのＡＴＭヘッダの内容を解析する機能を有し、その解析による識別内容に基づいてＡＴＭヘッダの圧縮パターンを決定する。
【０２１１】
そのため、ペイロード／ヘッダ分離部５２は、入力した送信ＡＴＭセルをＡＴＭヘッダとＡＴＭペイロードに分離すると、分離したＡＴＭヘッダを、圧縮ヘッダ生成部３３に加えて、圧縮ヘッダ構成情報生成部５１にも出力する。
【０２１２】
その他の送信側の構成要素である圧縮ヘッダ生成部３３および送信ＡＴＭセル構築部３４は、第２の実施形態の無線ＡＴＭ通信装置２のそれらと同一の機能を有する。また、受信側の構成要素である圧縮ヘッダ解析部４１、ペイロード／圧縮ヘッダ分離部４２、ヘッダ再構築部４３および受信ＡＴＭセル再構築部４４は、第２の実施形態の無線ＡＴＭ通信装置２のそれらと同一の機能を有する。
【０２１３】
したがって、ここでは第２の実施形態の無線ＡＴＭ通信装置２の構成と相違する圧縮ヘッダ構成情報生成部５１とペイロード／ヘッダ分離部５２について説明する。
【０２１４】
ペイロード／ヘッダ分離部５２は、入力した送信ＡＴＭセルをＡＴＭヘッダとＡＴＭペイロードに分離する。
【０２１５】
第２の実施形態では分離されたＡＴＭヘッダは圧縮ヘッダ生成部３３に出力されていた。しかし、本実施形態のペイロード／ヘッダ分離部５２は、分離したＡＴＭヘッダを、圧縮ヘッダ生成部３３に加えて、圧縮ヘッダ構成情報生成部５１にも出力する。
【０２１６】
圧縮ヘッダ構成情報生成部５１は、ペイロード／ヘッダ分離部５２から５バイトのＡＴＭヘッダを受け取ると、ＡＴＭヘッダを構成する各フィールドのビット情報を解析してその内容を識別する。そして、その識別結果に基づいてＡＴＭヘッダの圧縮パターンを決定する。
【０２１７】
つまり、圧縮ヘッダ構成情報生成部５１は、ＡＴＭヘッダの所定のフィールドの全てのビットに０が設定されている場合や、所定区分のビットに０が設定されている場合に、それらを削除可能領域として識別する。所定区分のビットとは、上位４ビット分、上位８ビット分または上位１２ビット分を意味する。また、ＧＦＣフィールドおよびＨＥＣフィールドは一様に削除対象とする。
【０２１８】
このように各フィールドのビット情報を解析してその内容を識別した圧縮ヘッダ構成情報生成部５１は、その識別結果からＡＴＭヘッダ圧縮条件を生成する。このＡＴＭヘッダ圧縮条件は、図７を参照して説明した第２の実施形態におけるＡＴＭヘッダ圧縮条件と同様のものである。
【０２１９】
つまり、第２の実施形態の無線ＡＴＭ通信装置２では、このＡＴＭヘッダ圧縮条件はＡＴＭヘッダ圧縮条件設定部３０に、当該無線ＡＴＭ通信装置が使用される無線通信環境における通信形態に応じて予め登録されていた。しかし、第３の実施形態の無線ＡＴＭ通信装置３では、圧縮ヘッダ構成情報生成部５１が上述したようにＡＴＭヘッダを構成する各フィールドのビット情報を解析してＡＴＭヘッダ圧縮条件を生成する。
【０２２０】
圧縮ヘッダ構成情報生成部５１は、ＡＴＭヘッダ圧縮条件に基づき、あらかじめ記録している圧縮ヘッダ構成情報から、生成すべき圧縮ヘッダの各フィールドの圧縮処理内容、構成バイト数およびヘッダ種別を示す圧縮ヘッダ構成を生成する。そして、圧縮ヘッダ構成情報生成部５１は、生成した圧縮ヘッダ構成を圧縮ヘッダ生成部３３に出力する。
【０２２１】
なお、圧縮ヘッダ構成情報生成部５１がＡＴＭヘッダ圧縮条件に基づいて圧縮ヘッダ構成を生成する機能は、第２の実施形態の無線ＡＴＭ通信装置２の圧縮ヘッダ構成情報生成部３１の機能と同じである。
【０２２２】
以降、圧縮ヘッダ生成部３３および送信ＡＴＭセル構築部３４は、第２の実施形態の無線ＡＴＭ通信装置２と同様の処理を実行する。
【０２２３】
つまり、圧縮ヘッダ生成部３３は、分離したＡＴＭヘッダに対し、圧縮ヘッダ構成情報生成部５１が出力した圧縮ヘッダ構成に基づき、ＡＴＭヘッダの各フィールドの圧縮処理を施し、ヘッダ種別を付加した圧縮ヘッダを生成する。そして、圧縮ヘッダは、送信ＡＴＭセル構築部３４に出力される。
【０２２４】
送信ＡＴＭセル構築部３４は、分離したＡＴＭペイロードに圧縮ヘッダ生成部３３が出力した圧縮ヘッダを付加した圧縮ＡＴＭセルを生成して無線伝送路に出力する。
【０２２５】
受信側の構成は、第２の実施形態の無線ＡＴＭ通信装置２の受信側の構成と同じである。
【０２２６】
圧縮ヘッダ解析部４１は、無線伝送路から受信した圧縮ＡＴＭセルの圧縮ヘッダに付加されたヘッダ種別を、あらかじめ記録している復元ヘッダ構成情報と照合し、ヘッダ種別と同一のＩＤ番号を有する復元ヘッダ構成を取得する。そして、該復元ヘッダ構成と構成バイト数に基づき、圧縮ヘッダの復元に用いる各フィールドの復元処理内容を示すヘッダ解析情報を生成する。ここで、復元ヘッダ構成情報は、送信側の圧縮ヘッダ構成情報生成部５１が備える圧縮ヘッダ構成情報とヘッダ種別に対応して同一内容の情報を含む。
【０２２７】
ペイロード／圧縮ヘッダ分離部４２は、ヘッダ解析情報に基づき、受信した圧縮ＡＴＭセルを圧縮ヘッダとＡＴＭペイロードに分離する。
【０２２８】
ヘッダ再構築部４３は、分離した圧縮ヘッダを、ヘッダ解析情報に基づいて再構築し、５バイト構成のＡＴＭヘッダに復元する。
【０２２９】
受信ＡＴＭセル再構築部４４は、分離したＡＴＭペイロードに、復元したＡＴＭヘッダを付加して受信ＡＴＭセルを生成して出力する。
【０２３０】
なお上述した第３の実施形態の無線ＡＴＭ通信装置３を、無線伝送路を介して送信側無線ＡＴＭ通信装置と受信側無線ＡＴＭ通信装置として設置することにより第３の実施形態の無線ＡＴＭ通信システムが構築される。
【０２３１】
第３の実施形態の無線ＡＴＭ通信システムは、図２０を参照して説明した第２の実施形態の無線ＡＴＭ通信システム２０における送信側無線ＡＴＭ通信装置３００と受信側無線ＡＴＭ通信装置４００を無線ＡＴＭ通信装置３に置き換えた形態となる。
【０２３２】
図示しないが、第３の実施形態の無線ＡＴＭ通信システムでは、送信側無線ＡＴＭ通信装置は、圧縮ヘッダ構成情報生成部５１、ペイロード／ヘッダ分離部５２、圧縮ヘッダ生成部３３および送信ＡＴＭセル構築部３４を含んで構成される。そして、受信側無線ＡＴＭ通信装置は、第２の実施形態の無線ＡＴＭ通信システム２０における受信側無線ＡＴＭ通信装置４００と同じ構成となる。
【０２３３】
第３の実施形態の無線ＡＴＭ通信装置の動作を説明する。
【０２３４】
図２２は、本発明の第３の実施形態の無線ＡＴＭ通信装置の圧縮ＡＴＭセル送信時の動作を示すフロー図である。なお、圧縮ＡＴＭセル受信時の動作は、図１９を参照して説明した第２の実施形態の無線ＡＴＭ通信装置の動作と同じなので、説明を省略する。
【０２３５】
まず、入力した５３バイト構成の送信ＡＴＭセルを５バイトのＡＴＭヘッダと４８バイトのＡＴＭペイロードに分離する（Ｓ５０１）。
【０２３６】
分離されたＡＴＭヘッダの内容を識別し、０が設定されているビット位置を判定してＡＴＭヘッダ圧縮条件を生成する（Ｓ５０２）。
【０２３７】
このＡＴＭヘッダ圧縮条件は、第２の実施形態で説明したＡＴＭヘッダ圧縮条件と同じで、図７に例を示すように、圧縮後のヘッダのバイト数およびＡＴＭヘッダを構成する各フィールドの削除またはビット数削減の条件が規定されている。
【０２３８】
生成したＡＴＭヘッダ圧縮条件とあらかじめ記録している圧縮ヘッダ構成情報とのつきあわせを行い、合致した圧縮ヘッダ構成情報に基づいて、圧縮ヘッダ構成を生成する（Ｓ５０３）。
【０２３９】
以降のステップＳ５０４乃至Ｓ５０６の動作は、図１８を参照して説明した第２の実施形態の無線ＡＴＭ通信装置の動作におけるステップＳ３０４乃至Ｓ３０６の動作と同じで、概略以下のとおりである。
【０２４０】
分離された５バイトのＡＴＭヘッダの各フィールドに対して圧縮ヘッダ構成の内容に基づいて削除またはビット数削減を実施し、ヘッダの圧縮パターンを示すヘッダ種別を付加して圧縮ヘッダを生成する（Ｓ５０４）。
【０２４１】
分離されたＡＴＭペイロードに圧縮ヘッダを付加して、図１３に例を示すような、圧縮ＡＴＭセルを生成する（Ｓ５０５）。
【０２４２】
圧縮ＡＴＭセルを、無線伝送路を介して伝送する（Ｓ５０６）。圧縮ＡＴＭセルは無線搬送用に変調され、無線周波数に変換され、必要な送信電力に増幅されて、無線伝送路に出力される。
【０２４３】
このように、第３の実施形態の無線ＡＴＭ通信装置３では、圧縮ヘッダ構成情報生成部５１がＡＴＭヘッダ内に存在する余剰な情報を識別して圧縮ヘッダ構成を生成する。したがって、第３の実施形態の無線ＡＴＭ通信装置３でも、第２の実施形態の無線ＡＴＭ通信装置２と同様に、余剰な情報を削減した圧縮ＡＴＭセルを無線伝送するので、伝送効率を向上させることができる。
【符号の説明】
【０２４４】
１、２、３    無線ＡＴＭ通信装置
１０、２０    無線ＡＴＭ通信システム
１１、１１０    圧縮ヘッダ構成情報生成手段
１２、１２０    圧縮ＡＴＭセル生成手段
２１、２１０    圧縮ヘッダ解析手段
２２、２２０    受信ＡＴＭセル生成手段
１００、３００    送信側無線ＡＴＭ通信装置
２００、４００    受信側無線ＡＴＭ通信装置
３０    ＡＴＭヘッダ圧縮条件設定部
３１、５１    圧縮ヘッダ構成情報生成部
３２、５２    ペイロード／ヘッダ分離部
３３    圧縮ヘッダ生成部
３４    送信ＡＴＭセル構築部
４１    圧縮ヘッダ解析部
４２    ペイロード／圧縮ヘッダ分離部
４３    ヘッダ再構築部
４４    受信ＡＴＭセル再構築部
３１０    無線送信装置
３２０    送信側端末
４１０    受信無線装置
４２０    受信側端末装置
【図１】
2015186205.tif 000003
【図２】
2015186205.tif 000004
【図３】
2015186205.tif 000005
【図４】
2015186205.tif 000006
【図５】
2015186205.tif 000007
【図６】
2015186205.tif 000008
【図７】
2015186205.tif 000009
【図８】
2015186205.tif 000010
【図９】
2015186205.tif 000011
【図１０】
2015186205.tif 000012
【図１１】
2015186205.tif 000013
【図１２】
2015186205.tif 000014
【図１３】
2015186205.tif 000015
【図１４】
2015186205.tif 000016
【図１５】
2015186205.tif 000017
【図１６】
2015186205.tif 000018
【図１７】
2015186205.tif 000019
【図１８】
2015186205.tif 000020
【図１９】
2015186205.tif 000021
【図２０】
2015186205.tif 000022
【図２１】
2015186205.tif 000023
【図２２】
2015186205.tif 000024